(57)【要約】【課題】写真等の差し換えを容易とし、写真の傾きや抜け落ちを防ぎ、かつ複数の部材を必要としないフォトスタンドを提供することを目的とする。【解決手段】一枚を二つ折りに曲げた物、もしくは二枚を一辺の接合部で形成した物の表板と裏板の間の挟持により、写真等を挟み込み、表板と裏板のどちらか片方を底板に固定または差し込んだフォトスタンド。および、台座の土台となるベースの上に、Ｌ型のガイドレールが向い合うように固着されており、二種のフォトスタンドの底板を横らかスライドさせて取り付けることにより、写真等の展示物を確実に固定する効果が得られ、また、ベースの形状によって、より安定した展示を可能とするフォトフレーム用の台座。【選択図】図１
2013000562.tif 000002
【特許請求の範囲】
【請求項１】
一枚のアクリルの透明板を中央付近の屈曲部２２で折り曲げて構成した表板２１と裏板２３でなるフレーム２と底板４からなり、表板２１を手前に引き広げて、表板２１と裏板２３の間に写真６を横から挿入する場合は、表板の長さを裏板２３の長さと同じか、多少短めにして写真６を挿入し易くし、裏板２３は、底板４に対し垂直又は斜めに、接着剤または溶着で固定し、裏板２３を後方に押し広げで、写真６を横から挿入する場合は、裏板２３の長さを表板２１の長さと同じか、多少短めにして写真６を挿入し易くし、表板２１を底板４に垂直または斜めに、接着剤または溶着で固定することで、表板２１と裏板２３の間に写真６を挟めるようにしたことを特徴とするフォトスタンド。
【請求項２】
上部接合部３２で接続した表板３１と裏板３３でなるフレーム３と、底板４から構成され、表板３１を手前に引き広げで、表板３１と裏板３３の間に写真６を横から挿入する場合は、表板３１の長さを裏板３３の長さと同じか、多少短めにして写真６を挿入し易くし、裏板３３は、底板４に対し垂直又は斜めに、接着剤または溶着で固定し、裏板３３を後方に押し広げで、写真６を横から挿入する場合は、裏板３３の長さを表板３１の長さと同じか、多少短めにして写真６を挿入し易くし、表板３１を底板４に垂直又は斜めに、接着剤または溶着で固定することで、表板３１と裏板３３の間に写真６を挟めるようにしたことを特徴とするフォトスタンド。
【請求項３】
請求項１又は請求項２に記載のフォトスタンドであって、接着剤又は溶着を用いないで、底板に長尺状の溝４１を設け、表板又は裏板の何れかを一方を、前記溝に挿入し、フレーム２またはフレーム３を底板に差し込むことを特徴とするフォトスタンド。
【請求項４】
ベース５２と、そのベース５２の上に、２つの逆さにしたＬ字型を向かい合わせにしたガイドレール５１に、フォトスタンド１の底板４を横からスライドさせて挿入して取り付けることにより、フォトスタンド１が倒れないようにしたことを特徴とする請求項１から請求項３の何れかに記載のフォトフレーム用の台座５。
【発明の詳細な説明】
【技術分野】
【０００１】  本発明は、写真、絵葉書、印刷物などを挟み込んで、机など卓上の設置面に片面また両面にて展示するフォトスタンドに関するものである。
【背景技術】
【０００２】  従来からよく知られているフォトスタンドには、特許文献１に記載されているように、透明な表板と裏板に複数の穴を設け、雄ネジと雌ネジで取り付け、表板と裏板の間に写真等を挟み込んで、卓上の設置は長尺のネジを用いて衝立てる。【０００３】  ところが、上記のフォトスタンド種は、雄ネジと雌ネジで取り付けすることに変わりなく、写真等の差し換えに手間がかかり、写真等の位置合わせも困難が生じる。【０００４】  また、表板は透明材を使用し、表板と裏板と内側に其々ザグリ穴を空け、マグネットを仕込んで、磁力で写真等を挟持させている。【０００５】  この種のフォトスタンドでは、写真の差し換えは容易になるが、写真の位置決めは困難が生じる。【０００６】  従来からよく知っている額縁は、透明板、枠部材などで形成されていて、衝立部材を使って卓上展示できるものがある。【０００７】  額縁は写真面に透明板、枠部材、衝立部材など、複数の部材が必要となるものが多い。【０００８】  その他、透明プラスチック製の一枚板で形成されているものがある。【０００９】  写真等の差し換えは容易であるが、構造上において挟持部のクリップ力が弱く、差し込まれた写真等が抜け落ちるものが多い。【００１０】  このような卓上で使われているフォトスタンドは、二枚の板で挟持して展示するには固定するための付属部品が必要となる上、写真等の差し換えは困難である。マグネットを仕込んだ物では、写真の差し換えが容易になるが、写真の位置決めに問題が発生する。また、額縁の透明板と枠材、衝立部材で形成されたものは複数の部材が必要となる物が多く、透明プラスチック製の一枚板で形成されている物は、挟持部のクリップ力が弱く、写真の傾きや抜け落ちが発生しやすい。
【先行技術文献】
【特許文献】
【００１１】
【特許文献１】実開平５−１５８６９号公報
【００１２】
【発明の概要】
【発明が解決しようとする課題】
【００１３】  本発明のフォトスタンドは、写真等の差し換えを容易とし、写真の傾きや抜け落ちを防ぎ、かつ取り付けするための付属部品を必要としないフォトスタンドを提供することを目的とする。
【課題を解決するための手段】
【００１４】  上記の目的を達成するために、本発明の請求項１のフォトスタンドは、一枚の透明板をおよそ中央部で折曲げることにより、表板と裏板の間に写真等の展示物を挟持させることができ、表板と裏板のどちらか片方を、垂直または斜めで、底板４に固定したものを特徴とする。【００１５】  また、請求項２のフォトスタンドは、二枚の板の上部を接着または溶着で接合し、表板と裏板の間に写真等の展示物が挟持させることができ、表板と裏板のどちらか片方を、垂直状態または斜め状態で、底板に固定したものを特徴とする。【００１６】  請求項１又は請求項２に記載のフォトスタンドであって、接着剤又は溶着を用いないで、底板に長尺状の溝４１を設け、表板又は裏板の何れか一方を、前記溝に挿入し、フレーム３を底板に差し込むことを特徴とするフォトスタンド。【００１７】  さらに、請求項３の台座は、土台となるベースとＬ字型のガイドレールからなっており、ベースの上に二つの逆さにしたＬ字型のガイドレールが向い合うように固着させ、この部分にフォトフレームの底板部分を横らかスライドさせて取り付けることにより、写真などの展示物を確実に固定する効果が得られる上、土台の形状によって、より安定した展示を可能とするフォトフレーム用の台座を特徴とする。
【発明の効果】
【００１８】  上記の構成を有する本発明によれば、表板と裏板が屈曲部または上部接合部で繋がっていて、表板と裏板の間に写真等を挟み込むことができ、表板と裏板のどちらか片方を底板に固定されている物と底板に長尺状の溝に差し込む物があり、写真等の差し換えは横側から行い、表板と裏板のどちらか底板に固定されていない方を少し開くことができるため、写真等の差し換えはスムーズに行うことができる。また、底板が写真等の差し込み時にガイドとなり、写真が傾いたり、ズレ落ちたりしない役目を兼ね備えているフォトスタンドである。
また、取り付けするための付属部品を必要としないので、低コスト化を可能とする。【００１９】  さらに、フォトスタンド用の台座は、ベースとなる台板の上にＬ字型を逆さにして向い合うように固着されたガイドレールのスペースに、フォトスタンドの底板をスライドさせて取り付けして、表板と裏板のどちらか底板に固定されていない方を押さえ付け、写真等の展示物は確実に固定する。また、台座のベースの形状を変えることで、より安定した展示を可能とするフォトスタンド用の台座である。
【図面の簡単な説明】
【００２０】
【図１】本発明のフォトスタンドの構成である。（実施例１）、（ａ）斜視図、（ｂ）断面図
【図２】本発明のフォトスタンドの構成である。（実施例２）、（ａ）斜視図、（ｂ）断面図
【図３】本発明のフォトスタンドの構成である。（実施例３）、（ａ）斜視図、（ｂ）断面図
【図４】本発明のフォトスタンド用の台座の構成である。（ａ）斜視図、（ｂ）断面図
【発明を実施するための形態】
【００２１】  以下、発明のフォトスタンドの構成を図１〜図３で、実施例１、実施例２、実施例３について説明する。
実施例１は一枚のアクリル板を折り曲げて構成した場合、実施例２は、２つアクリル板を上部接合部３２で形成した場合、実施例３はフォトスタンドの台座を示す。
【実施例１】
【００２２】  実施例１は一枚のアクリル板を折り曲げて構成した場合で、図１の（ａ）で示すように、本発明のフォトスタンド１は、一枚のアクリルの透明板を中央付近で折り曲げることにより、屈曲部２２を介した表板２１と裏板２３からなるフレーム２と底板４から構成する。表板２１を手前に引き広げて、写真６を横から挿入する場合は、表板２１の長さを裏板２３の長さと同じか、多少短めにして写真６を挿入し易くする。裏板２３は、底板４に対し垂直又は斜めに、接着剤または溶着で固定している物。（図１は垂直の場合を示す）
裏板２３を後方に押し広げて、写真６を横から挿入する場合は、裏板２３の長さを表板２１の長さと同じか、多少短めにして写真６を挿入し易くする。表板２１を底板４に垂直又は斜めに、接着剤または溶着で固定する。
図１に示すように、表板２１を手前に引き広げて、写真６を横から挿入して、この表板２１と裏板２３の間に写真６を挟み込む。写真６は、表板２１と裏板２３が強く挟まれるときは下に落ちないが、緩めの場合でも写真６の下部は、底板４に当接し保持される。
図１の（ｂ）はその側面図である。図１（ｂ）に示すように、挟持部のクリップ力を強くするためには、屈曲部２２に丸みをつけて、表板２１と裏板２３が底板４の方向に閉じて相互に密着するように形成する。
【実施例２】
【００２３】  実施例２は、上部接合部３２で接続し形成した場合である。図２の（ａ）で示すように、上部接合部３２で接続された２つアクリル板の表板３１と裏板３３でなるフレーム３と、底板４から構成される。
表板３１と裏板３３が底板４の方向に閉じて、真ん中から下部へかけて相互に密着するようにすることにより、表板３１と裏板３３で写真６を挟み込む。裏板３３は底板４に対し、垂直又は斜めに接着剤または溶着で固定する。
表板３１を手前に広げで、写真６を横から挿入する場合は、表板３１の長さを裏板３３の長さと同じか、多少短めにして写真６を挿入し易くする。裏板３３は、底板４に対し垂直又は斜めに、接着剤または溶着で固定する。（図２（ａ）は垂直の場合を示す）
裏板３３を後方に広げで、写真を横から挿入する場合は、裏板３３の長さを表板３１の長さと同じか、多少短めにして写真を挿入し易くする。表板３１を底板４に垂直又は斜めに、接着剤または溶着で固定する。（図２の（ｂ）はその断面図である。）
挟持部のクリップ力を強くするためには、上部接合部３２の形状を、図２の（ｂ）の拡大図で示すように、接着または溶着で逆台形に貼り合せて、表板と裏板が相互に密着するように形成する。
【実施例３】
【００２４】  実施例３は、一枚のアクリル板を折り曲げて構成した場合で、図３の（ａ）で示すように、本発明のフォトスタンド１は、一枚のアクリルの透明板を中央付近で折り曲げることにより、屈曲部２２を介した表板２１と裏板２３と、底板４から構成する。底板４には、長尺状の溝４１を設け、実施例１と実施例２のフォトスタンドでは、接着剤又は溶着でフレームと底板を固定しているが、実施例３では、底板に長尺状の溝４１を設け、表板又は裏板の何れか一方を、前記溝に挿入し、フレーム２を底板に差し込む。（図３の（ｂ）はその断面図である）
【実施例４】
【００２５】  実施例４はフォトスタンドの台座である。図４は、本発明のフォトスタンド用の台座の構成を示す。（ａ）は斜視図、（ｂ）は断面図を示す。
図４の（ａ）で示すように、本発明のフォトスタンド用の台座５はベース５２とガイドレール５１からなり、ガイドレール５１は二つのＬ字型を逆さに向い合うようにベース５２の上部に固着させている。図４（ｂ）はその断面図である。
フォトスタンドは、底板により立てることができるが、フォトスタンドの底板を台座に差込むことにより、より安定で、見た目もよいものになる。
【産業上の利用可能性】
【００２６】  本発明のフォトスタンドは、フレーム部分と底板が、垂直または斜めに形成されているため、卓上等の設置面に対して、写真や絵葉書、印刷物等を入れて片面展示や一枚両面印字された物や、二枚背合わせに入れ両面展示として利用可能である。
【符号の説明】
【００２７】１  フォトスタンド
２  フレーム
２１  表板
２２  屈曲部
２３  裏板
３  フレーム
３１  表板
３２  上部接合部
３３  裏板
４  底板
４１  溝
５  台座
５１  ガイドレール
５２  ベース
６  写真
【図１】
2013000562.tif 000003
【図２】
2013000562.tif 000004
【図３】
2013000562.tif 000005
【図４】
2013000562.tif 000006